(57)【要約】  本願はガイドレール構造、フレームアセンブリ、フレーム、エアコン室内機及びエアコンを開示し、当該ガイドレール構造は、接続部と、接続部の少なくとも一つの側面に設けられ、一端が弧形を呈して設けられている第一案内具と、接続部の少なくとも一つの側面に設けられ、第一案内具の弧形の位置と対向して設けられている第二案内具であって、第二案内具及び第一案内具と、接続部を組み合わせてスライドレールを形成しており、ガイドレール構造は、フレームと取り外し可能に接続されている第二案内具と、を含む。
2021517623.tif 000002
【特許請求の範囲】
【請求項１】
フレームに設けられているガイドレール構造であって、前記ガイドレール構造は、：
接続部と、
前記接続部の少なくとも一つの側面に設けられ、一端が弧形を呈して設けられている第一案内具と、
前記接続部の少なくとも一つの側面に設けられ、前記第一案内具の弧形の位置と対向して設けられている第二案内具であって、前記第二案内具及び前記第一案内具と、前記接続部を組み合わせてスライドレールを形成しており、前記ガイドレール構造は、前記フレームと取り外し可能に接続されている第二案内具と、
を含むガイドレール構造。
【請求項２】
前記第一案内具は弧形セグメントと前記弧形セグメントに接続されている延長セグメントを含み、前記第二案内具は前記弧形セグメントと対向して設けられ、第二案内具と、前記弧形セグメントとの間の間隔は同じ或いは相当である
請求項１に記載のガイドレール構造。
【請求項３】
前記延長セグメントの前記弧形セグメントから遠く離れた一端には係着フックが設けられ、前記延長セグメントは前記係着フックを通して前記フレームと係接され、
及び／又は、前記弧形セグメントの前記延長セグメントから遠く離れた一端には位置制限溝が設けられ、前記ガイドレール構造が前記フレームに取り付けられた時、前記位置制限溝は前記フレームと位置制限して当接され、
及び／又は、前記第二案内具の前記延長セグメントから遠く離れた一端には少なくとも一つの係着突起が設けられ、前記第二案内具は前記係着突起を通して前記フレームと係接され、
及び／又は、前記接続部の少なくとも一つの側面にはバックルが設けられ、前記接続部は前記バックルを通して前記フレームとバックル接続されている
請求項２に記載のガイドレール構造。
【請求項４】
前記第二案内具の前記延長セグメントに近い一端には案内部が設けられ、前記案内部は前記第一案内具から遠く離れる向きに延在している、
請求項２に記載のガイドレール構造。
【請求項５】
前記接続部には前記弧形セグメントに対応するように第一位置制限板が形成され、前記第一位置制限板は前記第二案内具の前記弧形セグメントから背を向けている側に向かって延在し、前記ガイドレール構造が前記フレームに取り付けられた時、前記第一位置制限板は前記フレームと位置制限して当接されている、
請求項２に記載のガイドレール構造。
【請求項６】
前記接続部には前記弧形セグメントに対応するように第一位置制限板と第二位置制限板が形成され、前記第一位置制限板は前記弧形セグメントの前記第一案内具から背を向けている側に向かって延在し、前記第二位置制限板は前記弧形セグメントの前記第二案内具から背を向けている側に向かって延在し、前記第一位置制限板及び／又は第二位置制限板にはさらに位置制限台が設けられ、前記ガイドレール構造が前記フレームに取り付けられた時、前記位置制限台は前記フレームに位置制限して当接されている、
請求項２に記載のガイドレール構造。
【請求項７】
前記ガイドレール構造は、二つの前記第一案内具と、二つの前記第二案内具を含み、二つの前記第一案内具と、二つの前記第二案内具は、それぞれ対応するように前記接続部の対向する二つの側面に設けられている、
請求項１に記載のガイドレール構造。
【請求項８】
前記接続部、前記第一案内具及び前記第二案内具は一体成型構造である、
請求項１に記載のガイドレール構造。
【請求項９】
フレーム、吸気グリッド及びガイドレール構造を含むフレームアセンブリであって、前記フレームは吸気口を有し、前記吸気グリッドは前記吸気口に設けられ、前記ガイドレール構造は、前記吸気グリッド及び／又は前記フレームと取り外し可能に接続され、
前記ガイドレール構造は、
接続部と、
前記接続部の少なくとも一つの側面に設けられ、一端が弧形を呈して設けられている第一案内具と、
前記接続部の少なくとも一つの側面に設けられ、前記第一案内具の弧形の位置と対向して設けられている第二案内具であって、前記第二案内具及び前記第一案内具と、前記接続部を組み合わせてスライドレールを形成しており、前記ガイドレール構造は、前記フレームと取り外し可能に接続されている第二案内具と、を含み、
前記接続部は、前記吸気グリッドの内表面と当接されている、
フレームアセンブリ。
【請求項１０】
前記フレームは更に前記吸気口と隔てて設けられているフィルター取付口を有し、前記フレームにはさらに前記フィルター取付口に位置する支持部が設けられ、前記支持部の前記吸気口に近い端部は前記第一案内具の前記フィルター取付口に近い一端とは位置制限して当接されている、
請求項９に記載のフレームアセンブリ。
【請求項１１】
前記支持部の前記吸気口に近い端部には位置制限突起が設けられ、前記第一案内具には位置制限溝が設けられ、前記位置制限突起は前記位置制限溝と位置制限して当接されている、
請求項１０に記載のフレームアセンブリ。
【請求項１２】
前記フレームには前記吸気口の近くにさらに案内セグメントが設けられ、前記案内セグメントは前記支持部と、対向して設けられ、前記支持部と、組み合わされてスライドウェイを形成しており、前記案内セグメントの前記吸気口に近い端部は前記第二案内具の前記フィルター取付口に近い一端と位置制限して当接され、且つ前記スライドレールと前記スライドウェイとは連通している
請求項１０に記載のフレームアセンブリ。
【請求項１３】
前記案内セグメントの前記吸気口から遠く離れた端部には案内突起が設けられ、前記案内突起は前記支持部から遠く離れる方向へ延在している、
請求項１２に記載のフレームアセンブリ。
【請求項１４】
前記案内突起と前記案内セグメントとは円弧を呈して移行している、
請求項１３に記載のフレームアセンブリ。
【請求項１５】
前記吸気グリッドの内表面及び／又は前記フレームの前記フィルター取付口に近い内壁には複数の掛接具が設けられ、前記吸気グリッド及び／又は前記フレームは前記掛接具を通して前記接続部及び／又は前記第一案内具及び／又は前記第二案内具と、取り外し可能に接続されている、
請求項１２に記載のフレームアセンブリ。
【請求項１６】
フィルター取付構造を含むフレームであって、前記フレームは吸気口とフィルター取付口を有し、前記フィルター取付構造は、前記吸気口に位置する第一取付構造と前記フィルター取付口に位置する第二取付構造を含み、前記第一取付構造は、前記フレームに取り外し可能に接続され、前記第一取付構造と第二取付構造が組み合わされてフィルターを取り付けるスライド溝を形成している、
フレーム。
【請求項１７】
ベース、前記ベースと接続されているフレーム、ガイドレール構造及びフィルターを含むエアコン室内機であって、前記フレームは吸気口を有し、前記ガイドレール構造は、前記吸気口に取り外し可能に接続され、前記ガイドレール構造は、：
接続部と、
前記接続部の少なくとも一つの側面に設けられ、一端が弧形を呈して設けられている第一案内具と、
前記接続部の少なくとも一つの側面に設けられ、前記第一案内具の弧形の位置と対向して設けられている第二案内具であって、前記第二案内具及び前記第一案内具と、前記接続部を組み合わせてスライドレールを形成しており、前記ガイドレール構造は、前記フレームと取り外し可能に接続されている第二案内具と、を含み、
前記フィルターは前記スライドレールに移動可能に取り付けられて、前記吸気口に位置する、
エアコン室内機。
【請求項１８】
ベース、前記ベースと接続されているフレームアセンブリ及びフィルターを含むエアコン室内機であって、前記フレームアセンブリはフレーム、吸気グリッド及びガイドレール構造を含み、前記フレームは吸気口を有し、前記吸気グリッドは前記吸気口に設けられ、前記ガイドレール構造は、前記吸気グリッド及び／又は前記フレームと取り外し可能に接続され、
前記ガイドレール構造は、
接続部と、
前記接続部の少なくとも一つの側面に設けられ、一端が弧形を呈して設けられている第一案内具と、
前記接続部の少なくとも一つの側面に設けられ、前記第一案内具の弧形の位置と対向して設けられている第二案内具であって、前記第二案内具及び前記第一案内具と、前記接続部を組み合わせてスライドレールを形成しており、前記ガイドレール構造は、前記フレームと取り外し可能に接続されている第二案内具と、を含み、
前記接続部は前記吸気グリッドの内表面と当接され、
前記ベースは前記フレームアセンブリと組み合わされて取付チャンバーを形成しており、前記ガイドレール構造は、前記取付チャンバー内に位置して、前記フィルターは前記スライドレールに移動可能に取り付けられて、前記吸気口に位置する、
エアコン室内機。
【請求項１９】
ベース、前記ベースと接続されているフレーム及びフィルターを含むエアコン室内機であって、前記フレームはフィルター取付構造を含み、前記フレームは吸気口とフィルター取付口を有し、前記フィルター取付構造は、前記吸気口に位置する第一取付構造と前記フィルター取付口に位置する第二取付構造を含み、  前記第一取付構造は、前記フレームに取り外し可能に接続され、前記第一取付構造と第二取付構造が組み合わされてフィルターを取り付けるスライド溝を形成し、
前記フィルターは前記フィルター取付構造に移動可能に取り付けられて、前記吸気口に位置する、
エアコン室内機。
【請求項２０】
エアコン室外機とエアコン室内機を含むエアコンであって、前記エアコン室外機は管路によって前記エアコン室内機と連通し、
前記エアコン室内機はベース、前記ベースと接続されているフレーム、ガイドレール構造及びフィルターを含み、前記フレームは吸気口を有し、前記ガイドレール構造は、前記吸気口に取り外し可能に接続され、
前記ガイドレール構造は、
接続部と、
前記接続部の少なくとも一つの側面に設けられ、一端が弧形を呈して設けられている第一案内具と、
前記接続部の少なくとも一つの側面に設けられ、前記第一案内具の弧形の位置と対向して設けられている第二案内具であって、前記第二案内具及び前記第一案内具と、前記接続部を組み合わせてスライドレールを形成しており、前記ガイドレール構造が前記フレームと取り外し可能に接続されている第二案内具と、
を含み、
前記フィルターは前記スライドレールに移動可能に取り付けられて、前記吸気口に位置し
或いは、前記エアコン室内機はベース、前記ベースと接続されているフレームアセンブリ及びフィルターを含み、前記フレームアセンブリはフレーム、吸気グリッド及びガイドレール構造を含み、前記フレームは吸気口を有し、前記吸気グリッドは前記吸気口に設けられ、前記ガイドレール構造は、前記吸気グリッド及び／又は前記フレームと取り外し可能に接続され、
前記ガイドレール構造は、
接続部と、
前記接続部の少なくとも一つの側面に設けられ、一端が弧形を呈して設けられている第一案内具と、
前記接続部の少なくとも一つの側面に設けられ、前記第一案内具の弧形の位置と対向して設けられている第二案内具であって、前記第二案内具及び前記第一案内具と、前記接続部を組み合わせてスライドレールを形成しており、前記ガイドレール構造が前記フレームと取り外し可能に接続されている第二案内具と、
を含み、
前記接続部は前記吸気グリッドの内表面と当接され、
前記ベースは前記フレームアセンブリと組み合わされて取付チャンバーを形成しており、前記ガイドレール構造は、前記取付チャンバー内に位置して、前記フィルターは前記スライドレールに移動可能に取り付けられて、前記吸気口に位置し、
或いは、前記エアコン室内機はベース、前記ベースと接続されているフレーム及びフィルターを含み、前記フレームはフィルター取付構造を含み、前記フレームは吸気口とフィルター取付口を有し、前記フィルター取付構造は、前記吸気口に位置する第一取付構造と  前記フィルター取付口に位置する第二取付構造を含み、前記第一取付構造は、前記フレームに取り外し可能に接続され、前記第一取付構造と第二取付構造が組み合わされてフィルターを取り付けるスライド溝を形成し、
前記フィルターは前記フィルター取付構造に移動可能に取り付けられて、前記吸気口に位置する、
エアコン。
【発明の詳細な説明】
【技術分野】
【０００１】
関連出願
本願は２０１９年３月３日に提出された、出願番号２０１９２０２６７８６１．４、発明名称「ガイドレール構造、フレームアセンブリ、フレーム、エアコン室内機及びエアコン」及び出願番号２０１９１０１５９４８６．６、発明名称「ガイドレール構造、フレームアセンブリ、フレーム、エアコン室内機及びエアコン」である中国特許出願の優先権を主張し、その全文を参考として援用する。
【０００２】
本願はエアコンの分野に関し、特にガイドレール構造とフレーム、当該ガイドレール構造が応用されるフレームアセンブリ及び当該フレームアセンブリ或いはフレームが応用されるエアコン室内機とエアコンに関する。
【背景技術】
【０００３】
空気調節器（Ａｉｒ  Ｃｏｎｄｉｔｉｏｎｅｒ、通称エアコン）は閉鎖された空間或いは区域に処理を経た空気を直接提供するように設けられる電器である。人々の環境快適度への要求の高まりにつれて、エアコンの機能もますます豊富になりつつある。
従来のエアコンでは、フィルター自動掃除機能を有するエアコンと、手動でフィルターを洗浄するエアコンとがあります。フィルター自動掃除機能を有するエアコンでは、通常ではフレームにフィルターを手動で取り付けるガイドレール構造を設けしない。手動でろ過を洗浄するエアコンの中のフィルターガイドレール構造は、通常ではフレームに一体成型されて、フィルター自動洗浄アセンブリを取り付けることが不可能である。こうなると、フィルター自動掃除機能を有するエアコンとフィルターを手動で洗浄するエアコンの中のフレームには異なるフレーム金型を使って加工する必要があり、金型の利用率の低下につながり、生産工程も複雑化して、生産コストを大きくして、生産性を低下させてしまう。
【発明の概要】
【発明が解決しようとする課題】
【０００４】
本願の主な目的は、従来のフレームが同一の金型で製造できない問題を解決するためのガイドレール構造を提供することである。即ち、フィルター自動掃除機能を有するエアコンとフィルターを手動で洗浄するエアコンのフレームに設けして、フレーム金型の利用率と生産効率を向上させ、生産工程を簡略化して、生産コストを低下させることができる。
【課題を解決するための手段】
【０００５】
上記目的を実現するために、本願が提供するガイドレール構造は、フレームに設けられ、前記ガイドレール構造は、
接続部と、
前記接続部の少なくとも一つの側面に設けられ、一端が弧形を呈して設けられている第一案内具と、
前記接続部の少なくとも一つの側面に設けられ、前記第一案内具の弧形の位置と対向して設けられている第二案内具であって、前記第二案内具及び前記第一案内具と、前記接続部を組み合わされてスライドレールを形成しており、前記ガイドレール構造は、前記フレームと取り外し可能に接続されている第二案内具と、を含む。
【０００６】
一実施例において、前記第一案内具は弧形セグメントと前記弧形セグメントに接続されている延長セグメントを含み、前記第二案内具は前記弧形セグメントと対向して設けられ、第二案内具と、前記弧形セグメントとの間の間隔は同じ或いは相当である。
【０００７】
一実施例において、前記延長セグメントの前記弧形セグメントから遠く離れた一端には係着フックが設けられ、前記延長セグメントは前記係着フックを通して前記フレームと係接され；
及び／又は、前記弧形セグメントの前記延長セグメントから遠く離れた一端には位置制限溝が設けられ、前記ガイドレール構造が前記フレームに取り付けられた時、前記位置制限溝は前記フレームと位置制限して当接され；
及び／又は、前記第二案内具の前記延長セグメントから遠く離れた一端には少なくとも一つの係着突起が設けられ、前記第二案内具は前記係着突起を通して前記フレームと係接され；
及び／又は、前記接続部の少なくとも一つの側面にはバックルが設けられ、前記接続部は前記バックルを通して前記フレームとバックル接続されている。
【０００８】
一実施例において、前記第二案内具の前記延長セグメントに近い一端には案内部が設けられ、前記案内部は前記第一案内具から遠く離れる向きに延在している。
【０００９】
一実施例において、前記接続部には前記弧形セグメントに対応するように第一位置制限板が形成され、前記第一位置制限板は前記第二案内具の前記弧形セグメントから背を向けている側に向かって延在し、前記ガイドレール構造が前記フレームに取り付けられた時、前記第一位置制限板は前記フレームに位置制限して当接されている。
【００１０】
一実施例において、前記接続部には前記弧形セグメントに対応するように第一位置制限板と第二位置制限板が形成され、前記第一位置制限板は前記弧形セグメントの前記第一案内具から背を向けている側に向かって延在し、前記第二位置制限板は前記弧形セグメントの前記第二案内具から背を向けている側に向かって延在し、前記第一位置制限板及び／又は第二位置制限板にはさらに位置制限台が設けられ、前記ガイドレール構造が前記フレームに取り付けられた時、前記制限台は前記フレームに位置制限して当接されている。
【００１１】
一実施例において、前記ガイドレール構造は、二つの前記第一案内具と、二つの前記第二案内具を含み、二つの前記第一案内具と、二つの前記第二案内具はそれぞれ対応するように前記接続部の対向する二つの側面に設けられている。
【００１２】
一実施例において、前記接続部、前記第一案内具及び前記第二案内具は一体成型構造である。
【００１３】
本願はさらにフレーム、吸気グリッド及びガイドレール構造を含むフレームアセンブリを提案する。前記フレームは吸気口を有し、前記吸気グリッドは前記吸気口に設けられ、前記ガイドレール構造は、前記吸気グリッド及び／又は前記フレームと取り外し可能に接続され、前記ガイドレール構造は、
接続部と、
前記接続部の少なくとも一つの側面に設けられ、一端が弧形を呈して設けられている第一案内具と、
前記接続部の少なくとも一つの側面に設けられ、前記第一案内具の弧形の位置と対向して設けられている第二案内具であって、前記第二案内具及び前記第一案内具と、前記接続部を組み合わせてスライドレールを形成しており、前記ガイドレール構造は、前記フレームと取り外し可能に接続されている第二案内具と、を含み、
前記接続部は前記吸気グリッドの内表面と当接されている。
【００１４】
一実施例において、前記フレームは更に前記吸気口と隔てて設けられているフィルター取付口を有し、前記フレームにはさらに前記フィルター取付口に位置する支持部が設けられ、前記支持部の前記吸気口に近い端部は前記第一案内具の前記フィルター取付口に近い一端とは位置制限して当接されている。
【００１５】
一実施例において、前記支持部の前記吸気口に近い端部には位置制限突起が設けられ、前記第一案内具には位置制限溝が設けられ、前記位置制限突起は前記位置制限溝と位置制限して当接されている。
【００１６】
一実施例において、前記フレームには前記吸気口の近くにさらに案内セグメントが設けられ、前記案内セグメントは前記支持部と、対向して設けられ、前記支持部と、組み合わされてスライドウェイを形成しており、前記案内セグメントの前記吸気口に近い端部は前記第二案内具の前記フィルター取付口に近い一端と位置制限して当接され、且つ前記スライドレールと前記スライドウェイとは連通している。
【００１７】
一実施例において、前記案内セグメントの前記吸気口から遠く離れた端部には案内突起が設けられ、前記案内突起は前記支持部から遠く離れる方向へ延在している。
【００１８】
一実施例において、前記案内突起と前記案内セグメントとは円弧を呈して移行している。
【００１９】
一実施例において前記吸気グリッドの内表面及び／又は前記フレームの前記フィルター取付口に近い内壁には複数の掛接具が設けられ、前記吸気グリッド及び／又は前記フレームは前記掛接具を通して前記接続部及び／又は前記第一案内具及び／又は前記第二案内具と、取り外し可能に接続されている。
【００２０】
本願はさらにフィルター取付構造を含むフレームを提案する。前記フレームは吸気口とフィルター取付口を有し、前記フィルター取付構造は、前記吸気口に位置する第一取付構造と前記フィルター取付口に位置する第二取付構造を含み、前記第一取付構造は、前記フレームに取り外し可能に接続され、前記第一取付構造と第二取付構造が組み合わされてフィルターを取り付けるスライド溝を形成している。
【００２１】
本願はさらにベース、前記ベースと接続されているフレーム、ガイドレール構造及びフィルターを含むエアコン室内機を提案する。前記フレームは吸気口を有し、前記ガイドレール構造は、前記吸気口に取り外し可能に接続され、前記ガイドレール構造は、：
接続部と、
前記接続部の少なくとも一つの側面に設けられ、一端が弧形を呈して設けられている第一案内具と、
前記接続部の少なくとも一つの側面に設けられ、前記第一案内具の弧形の位置と対向して設けられている第二案内具であって、前記第二案内具及び前記第一案内具と、前記接続部を組み合わせてスライドレールを形成しており、前記ガイドレール構造は、前記フレームと取り外し可能に接続されている第二案内具と、を含み、
前記フィルターは前記スライドレールに移動可能に取り付けられて、前記吸気口に位置する。
【００２２】
本願はさらにベース、前記ベースと接続されているフレームアセンブリ及びフィルターを含むエアコン室内機を提案する。前記フレームアセンブリはフレーム、吸気グリッド及びガイドレール構造を含み、前記フレームは吸気口を有し、前記吸気グリッドは前記吸気口に設けられ、前記ガイドレール構造は、前記吸気グリッド及び／又は前記フレームと取り外し可能に接続され、
前記ガイドレール構造は、
接続部と、
前記接続部の少なくとも一つの側面に設けられ、一端が弧形を呈して設けられている第一案内具と、
前記接続部の少なくとも一つの側面に設けられ、前記第一案内具の弧形の位置と対向して設けられている第二案内具であって、前記第二案内具及び前記第一案内具と、前記接続部を組み合わせてスライドレールを形成しており、前記ガイドレール構造が前記フレームと取り外し可能に接続されている第二案内具と、を含み、
前記接続部は前記吸気グリッドの内表面と当接され、
前記ベースは前記フレームアセンブリと組み合わされて取付チャンバーを形成しており、前記ガイドレール構造は、前記取付チャンバー内に位置して、前記フィルターは前記スライドレールに移動可能に取り付けられて、前記吸気口に位置する。
【００２３】
本願はさらにベース、前記ベースと接続されているフレーム及びフィルターを含むエアコン室内機を提案する。前記フレームはフィルター取付構造を含み、前記フレームは吸気口とフィルター取付口を有し、前記フィルター取付構造は、前記吸気口に位置する第一取付構造と前記フィルター取付口に位置する第二取付構造を含み、前記第一取付構造が前記フレームに取り外し可能に接続され、前記第一取付構造と第二取付構造が組み合わされてフィルターを取り付けるスライド溝を形成し；
前記フィルターは前記フィルター取付構造に移動可能に取り付けられて、前記吸気口に位置する。
【００２４】
本願はさらにエアコン室外機とエアコン室内機を含むエアコンを提案する。前記エアコン室外機は管路によって前記エアコン室内機と連通し；
前記エアコン室内機はベース、前記ベースと接続されているフレーム、ガイドレール構造及びフィルターを含み、前記フレームは吸気口を有し、前記ガイドレール構造が前記吸気口に取り外し可能に接続され、  前記ガイドレール構造は、
接続部と、
前記接続部の少なくとも一つの側面に設けられ、一端が弧形を呈して設けられている第一案内具と、
前記接続部の少なくとも一つの側面に設けられ、前記第一案内具の弧形の位置と対向して設けられている第二案内具であって、前記第二案内具及び前記第一案内具と、前記接続部を組み合わせてスライドレールを形成しており、前記ガイドレール構造は、前記フレームと取り外し可能に接続されている第二案内具と、を含み、
前記フィルターは前記スライドレールに移動可能に取り付けられて、前記吸気口に位置し、
或いは、前記エアコン室内機はベース、前記ベースと接続されているフレームアセンブリ及びフィルターを含み、前記フレームアセンブリはフレーム、吸気グリッド及びガイドレール構造を含み、前記フレームは吸気口を有し、前記吸気グリッドは前記吸気口に設けられ、前記ガイドレール構造が前記吸気グリッド及び／又は前記フレームと取り外し可能に接続され、
前記ガイドレール構造は、
接続部と、
前記接続部の少なくとも一つの側面に設けられ、一端が弧形を呈して設けられている第一案内具と、
前記接続部の少なくとも一つの側面に設けられ、前記第一案内具の弧形の位置と対向して設けられている第二案内具であって、前記第二案内具及び前記第一案内具と、前記接続部を組み合わせてスライドレールを形成しており、前記ガイドレール構造は、前記フレームと取り外し可能に接続されている第二案内具と、を含み、
前記接続部は前記吸気グリッドの内表面と当接され、
前記ベースは前記フレームアセンブリと組み合わされて取付チャンバーを形成しており、前記ガイドレール構造は、前記取付チャンバー内に位置して、前記フィルターは前記スライドレールに移動可能に取り付けられて、前記吸気口に位置し、
或いは、前記エアコン室内機はベース、前記ベースと接続されているフレーム及びフィルターを含み、前記フレームはフィルター取付構造を含み、前記フレームは吸気口とフィルター取付口を有し、前記フィルター取付構造は、前記吸気口に位置する第一取付構造と前記フィルター取付口に位置する第二取付構造を含み、前記第一取付構造は、前記フレームに取り外し可能に接続され、前記第一取付構造と第二取付構造が組み合わされてフィルターを取り付けるスライド溝を形成し、
前記フィルターは前記フィルター取付構造に移動可能に取り付けられて、前記吸気口に位置する。
【００２５】
本願の技術案のガイドレール構造は、フレームに応用され、ガイドレール構造をフレームに取り外し可能に取り付けられる単独な部品に設けすることで、同一のフレームの金型で製造されるフレームを、フィルター自動掃除機能を有するエアコンにも、フィルターを手動で洗浄するエアコンにも設けられることができ、フレームの金型の利用率と生産効率を向上させ、生産工程を簡略化して、生産コストを低下させる。さらに、ガイドレール構造は、接続部、第一案内具及び第二案内具を含み、第一案内具と、第二案内具を対向するように設けして、組み合わせてスライドレールを形成することで、ガイドレール構造をフレームに取り付けた時、フィルターを、スライドレールを通してフレームに取り付ける或いはフレームから脱着させる等に有利である。さらに、ガイドレール構造は、接続部及び／又は第一案内具及び／又は第二案内具を通してフレームと取り外し可能に接続されている。こうすると、ガイドレール構造の迅速で安定した脱着に有利である。
【図面の簡単な説明】
【００２６】
本願実施例及び例示的技術の技術案をより明確に説明するため、以下では、実施例或いは例示的技術の説明に必要とされる添付図面を簡単に紹介する。下記説明における添付図面は本願の一部の実施例に過ぎない。当業者にとって、創造的な努力を行わないことを前提に、これらの添付図面が示す構造により他の図面を得ることができる。
【図１】本願のガイドレール構造の一実施例の構造模式図である。
【図２】本願のガイドレール構造のもう一つの実施例の構造模式図である。
【図３】本願のガイドレール構造のさらにもう一つの実施例の構造模式図である。
【図４】本願のフレームアセンブリの一実施例の構造模式図である。
【図５】図４のＡでの拡大図である。
【図６】図４のＢでの拡大図である。
【図７】本願のフレームアセンブリの一実施例のもう一つの角度から見た構造模式図である。
【図８】図７のＣでの拡大図である。
【図９】図７のＤでの拡大図である。
【図１０】図７のＥでの拡大図である。
【図１１】本願のフレームの一実施例の構造模式図である。
【図１２】図１１のＦでの拡大図である。
【図１３】図１１のＧでの拡大図である。
【図１４】本願のエアコン室内機の一実施例の構造模式図である。
【図１５】本願のエアコン室内機のもう一つの実施例の構造模式図である。
【図１６】図１５におけるエアコン室内機の部分構造模式図である。  添付図面を参照しながら、実施例と合わせて本願目的の実現、機能特徴及び長所をさらに説明する。
【発明を実施するための形態】
【００２７】
以下、本願実施例における添付図面と組み合わせ、本願実施例における技術案を明確且つ完全に説明する。説明される実施例は本願の全ての実施例ではなく、本願の一部の実施例に過ぎないことは明らかである。本願における実施例に基づいて、当業者が創造的な努力を行わないことを前提に得られた全ての他の実施例は、本願の保護する範囲に属す。
【００２８】
本願実施例での全ての方向性指示（例えば上、下、左、右、前、後．．．）は、当該方向性指示はある特定の姿勢（添付図面に示す）における各部品間の相対的位置関係、運動状況等を説明するためだけに設けられ、もし当該特定の姿勢が変わる場合、当該方向性指示もそれ相当に変わることは説明すべきである。
【００２９】
また、全文において現れた「及び／又は」或いは「及び／又は」は三つの並行する案を含むことを意味する。「Ａ及び／又はＢ」を例に取ると、Ａ案、或いはＢ案、或いはＡとＢとが同時に満たされる案を含むことになる。
【００３０】
また、本願実施例において「第一」、「第二」等の説明は説明のために設けられるだけであって、その相対的重要性を提示又は暗示する、或いは提示される技術的特徴の数を暗示的に指定するように理解すべきではない。これにより、「第一」、「第二」に限定されている特徴は明示的或いは暗示的に少なくとも一つの当該特徴を含んでもよい。また、各実施例の技術案は互いに組み合わせることができる。ただし、当業者が実現できることはその基礎である。技術案の組み合わせに矛盾が生じるか、実現できない場合には、このような技術案の組み合わせが存在しない、且つ本願が請求する保護範囲にないと理解すべきである。
【００３１】
本願ではフレームアセンブリ１００に設けられるべきガイドレール構造３を提案する。本願では、フレームアセンブリ１００はフレーム１を含み、フレーム１はフィルター自動掃除機能を有するエアコンにも、フィルターを手動で洗浄するエアコンにも設けできる。具体的に、フレーム１は枠体構造或いは覆体構造をしており、フレーム１は吸気口１１を有し、フレームアセンブリ１００は更に吸気口１１に設けられている吸気グリッド２を含む。吸気グリッド２とフレーム１とは別体で設けられてもよい。即ち、吸気グリッド２はフレーム１の吸気口１１に取り外し可能に、例えば、バックル接続、挿入接続嵌合、ねじ接続或いはピン接続等の取り外し可能な接続方法で接続され、ここでは限定しない。
【００３２】
図１、図２、図３、図５、図６、図８、図９と図１０の図示を組み合わせて参照し、本願の実施例において、ガイドレール構造３は接続部３１、第一案内具３２及び第二案内具３３を含み、第一案内具３２は接続部３１の少なくとも一つの側面に設けられ、第一案内具３２の一端は弧形を呈して設けられ；第二案内具３３は接続部３１の少なくとも一つの側面に設けられ、第一案内具３２の弧形位置と対向して設けられ、第二案内具３３と第一案内具３２は接続部３１と組み合わされてスライドレール３４を形成し、ガイドレール構造３はフレーム１と取り外し可能に接続されている。
【００３３】
ガイドレール構造３とフレーム１との取り外し可能な接続方法はバックル接続、挿入接続嵌合、ねじ接続或いはピン接続等でもよいことは、理解できると考えられる。即ち、ガイドレール構造３は接続部３１及び／又は第一案内具３２及び／又は第二案内具３３を通してフレーム１との取り外し可能な接続を実現する。この時、接続部３１と第一案内具３２及び第二案内具３３とは一つの全体としてフレーム１と取り外し可能な接続を実現する。本実施例では、接続部３１は板状構造或いは塊状構造でもよく、接続部３１は取り付け、固定、支持及び接続の役割を果たす、ガイドレール構造３をフレーム１上に取り付ける時、接続部３１が吸気口１１の吸気量を影響するのを避けるために、好ましくは、接続部３１は板状構造を呈しており、フレーム１の吸気口１１において、接続部３１の延伸方向は吸気口１１の吸気方向とは同じであり、即ち、接続部３１の厚さ方向は吸気方向とは垂直である。
【００３４】
具体的に、ガイドレール構造３をフレーム１の吸気口１１における形状輪郭と適合させるために、接続部３１の形状輪郭とフレーム１の吸気口１１における形状輪郭とは同じであり、即ち、ガイドレール構造３をフレーム１の吸気口１１に取り付けた時、接続部３１はフレーム１及び／又は吸気グリッドの内壁と繋ぎ合わされて当接される。勿論、フィルター５００の取り付けを便利にするために、第一案内具３２とフレーム１及び／又は吸気グリッドの内壁とは取付空間を形成しており、フィルター５００がこの取付空間内に収容されている時、フィルター５００の両側は第一案内具３２、フレーム１及び／又は吸気グリッドの内壁と当接できる。
【００３５】
第一案内具３２の一端が弧形を呈して設けられることにより、フレーム１及び／又は吸気グリッドの内壁の形状輪郭と同じにして、ガイドレール構造３をフレーム１の吸気口１１に取り付けることがエアコンの他の部品の取付を影響しないようにするのに有利である。フィルター５００を取付空間内にスムーズに取り付けるために、第二案内具３３と第一案内具３２の弧形位置とは対向して設けられ、第二案内具３３と第一案内具３２は接続部３１と組み合わされてスライドレール３４を形成することで、フィルター５００がスライドレール３４を通して取付空間に入る或いは取付空間から出てくるのを便利にして、取付効率を向上できる。
【００３６】
本実施例では、第二案内具３３の弧形構造は、第一案内具３２の弧形構造とは類似しており、即ち、第二案内具３３と第一案内具３２とは折り曲げの弧度が同じである。つまり、第二案内具３３と第一案内具３２の間の各対応する点の間の距離が相当或いは同じである。第二案内具３３の設けはフィルター５００に対して案内を実現して、フィルター５００を取付空間に取り付ける過程において、フィルター５００が嵌まり込んだり、フレーム１の折り曲げコーナーに引っかかったりすることを避けるのに有利である。
【００３７】
本実施例では、ガイドレール構造３のフレーム１の吸気口１１における取り付け位置の違いにより、第一案内具３２と第二案内具３３の接続部３１の対向する両側の表面上に設けられている数が異なる。図１、図５と図９に示されるように、ガイドレール構造３をフレーム１の吸気口１１における途中に取り付ける時、接続部３１の対向する両側の表面上には何れも第一案内具３２と第二案内具３３が設けられている。この時、接続部３１の一つの側面の第一案内具３２ともう一つの側面の第一案内具３２は対向して設けられ、接続部３１の一つの側面の第二案内具３３ともう一つの側面の第二案内具３３は対向して設けられている。図２、図３、図６、図８と図１０に示されるように、ガイドレール構造３をフレーム１の吸気口１１における左端或いは右端に取り付ける時、接続部３１の一つの側面にだけ第一案内具３２と第二案内具３３が何れも設けられている。
【００３８】
本実施例では、フレーム１の吸気口１１には、一つのガイドレール構造３、二つのガイドレール構造３或いは三つのガイドレール構造３が取り外し可能に取り付けられている。フレーム１の吸気口１１に一つのガイドレール構造３が取り外し可能に取り付けられている時、当該ガイドレール構造３における接続部３１の対向する両側の表面上には第一案内具３２と第二案内具３３が何れも設けられていることは理解できると考えられる。即ち、接続部３１の対向する両側の表面には何れもスライドレール３４が形成されて、この時フレーム１上の吸気口１１における左端或いは右端にはフレーム１上に一体として設けられているフィルタースライドレールが形成され、当該フィルタースライドレールはスライドレール３４と組み合わされてフィルター５００に取り付けられる。フレーム１の吸気口１１に二つのガイドレール構造３が取り外し可能に取り付けられている時、即ちガイドレール構造３はフレーム１の吸気口１１における左端と右端に取り付けられている時、何れのガイドレール構造３においても、接続部３１の一側の表面には第一案内具３２と第二案内具３３が設けられ、この時二つのガイドレール構造３のスライドレール３４は対向するように設けられ、二つのガイドレール構造３の対向する二つのスライドレール３４は組み合わされてフィルター５００に取り付けられる。フレーム１の吸気口１１に三つのガイドレール構造３が取り外し可能に取り付けられている時、図４と図７に示されるように、フレーム１の吸気口１１の途中、左端と右端の何れにもガイドレール構造３が取り付けられている。フレーム１の吸気口１１の途中に取り付けられているガイドレール構造３の接続部３１の対向する両側の表面上には何れも第一案内具３２と第二案内具３３が設けられ、即ち、接続部３１の対向する両側の表面には何れもスライドレール３４が形成されている。フレーム１の吸気口１１の左端と右端に取り付けられているガイドレール構造３の接続部３１の一側の表面に第一案内具３２と第二案内具３３が設けられている。この時、フレーム１の吸気口１１の左端に取り付けられているガイドレール構造３のスライドレール３４はフレーム１の吸気口１１の途中に取り付けられているガイドレール構造３における接続部３１の一側のスライドレール３４と組み合わされてフィルター５００を取り付ける。フレーム１の吸気口１１の右端に取り付けられているガイドレール構造３のスライドレール３４はフレーム１の吸気口１１の途中に取り付けられているガイドレール構造３における接続部３１のもう一側のスライドレール３４と組み合わされてフィルター５００を取り付ける。こうして、フィルター５００の長さを低減して、フィルター５００が長すぎることによる脱着が不便な問題点を避ける。
【００３９】
本願のガイドレール構造３はフレーム１上に応用され、ガイドレール構造３をフレーム１上に取り外し可能に取り付けられる単独な部品に設けすることで、同一のフレーム１の金型で製造されるフレーム１を、フィルター自動掃除機能を有するエアコンにもフィルターを手動で洗浄するエアコンにも設けでき、フレーム１の金型の利用率と生産効率を向上させ、生産工程を簡略化して、生産コストを低下させる。一実施例において、ガイドレール構造３は接続部３１、第一案内具３２及び第二案内具３３を含み、第一案内具３２と第二案内具３３を対向するように設けして、組み合わせてスライドレール３４を形成することで、ガイドレール構造３をフレーム１上に取り付けた時、フィルター５００を、スライドレール３４を通してフレーム１上に取り付ける或いはフレーム１上から脱着させる等するのに有利である。一実施例において、ガイドレール構造３は接続部３１及び／又は第一案内具３２及び／又は第二案内具３３を通してフレーム１と取り外し可能に接続されている。こうすると、ガイドレール構造１００の迅速で安定した脱着に有利である。
【００４０】
一実施例において、図１、図２と図３に示されるように、本実施例では、第一案内具３２は弧形セグメント３２１と弧形セグメント３２１に接続されている延長セグメント３２２を含み、第二案内具３３は弧形セグメント３２１と対向して設けられ、第二案内具３３と弧形セグメント３２１との間の間隔は同じ或いは相当である。
【００４１】
第一案内具３２の延長セグメント３２２とフレーム１の吸気口１１における吸気グリッド２の内壁とがフィルター５００を取り付けるように設けられているスライドレール或いは取付空間を形成していることは理解できると考えられる。第一案内具３２の弧形セグメント３２１と第二案内具３３の設けはフレーム１の形状や輪郭と組み合わせて、フィルター５００に対する案内や取付を実現する、即ち、第一案内具３２の弧形セグメント３２１と第二案内具３３とが組み合わされてスライドレール３４を形成するのに有利である。フィルター５００は取り付け時、弧形セグメント３２１と第二案内具３３とが組み合わされて形成しているスライドレール３４を通して延長セグメント３２２と吸気グリッド２の内壁とが形成するスライドレール或いは取付空間に入る。フィルター５００の取り外し時、フィルター５００は弧形セグメント３２１と第二案内具３３とが組み合わされて形成しているスライドレール３４から延長セグメント３２２と吸気グリッド２の内壁とが形成するスライドレール或いは取付空間から出てくる。
【００４２】
また、他の実施例において、第二案内具３３の形状、長さ、構造及び輪郭は第一案内具３２の形状、長さ、構造及び輪郭が同じである。こうして、第一案内具３２と第二案内具３３との間に形成されているスライドレール３４は直接フィルター５００を取り付けるように設けられていることで、フィルター５００の取り付けの過程においてフレーム１の吸気口１１の吸気グリッド２の内壁への摩損を有効的に避けることが可能となる。
【００４３】
一実施例において、図１、図２、図３、図５、図６、図８、図９と図１０に示されるように、本実施例では、延長セグメント３２２の弧形セグメント３２１から遠く離れた一端には係着フック３２４が設けられ、延長セグメント３２２は係着フック３２４を通してフレーム１と係接されている。
【００４４】
延長セグメント３２２の一端に係着フック３２４を設けし、フレーム１の吸気口１１における吸気グリッド２上に係着フック３２４と嵌合する構造、例えば係着溝或いは係着穴等を設けして、延長セグメント３２２の係着フック３２４と吸気グリッド２上の係着溝或いは係着穴との嵌合を利用して、ガイドレール構造３をフレーム１上に有効的に係接して、ガイドレール構造３とフレーム１との取り外し可能な接続を実現して、脱着の効率と脱着の利便性を向上させることは、理解できると考えられる。勿論、他の実施例において、延長セグメント３２２の一端と吸気グリッド２及び／又はフレーム１の内壁との間はバックル接続、挿入接続嵌合或いはねじ接続等の取り外し可能な接続方法を採用し、ここでは限定しない。
【００４５】
一実施例において、図１、図５と図９に示されるように、本実施例では、弧形セグメント３２１の延長セグメント３２２から遠く離れた一端には位置制限溝３２３が設けられ、ガイドレール構造３がフレーム１に取り付けられた時、位置制限溝３２３はフレーム１に位置制限して当接されている。弧形セグメント３２１に位置制限溝３２３を設けすることは、ガイドレール構造３とフレーム１の位置決めを実現するのに有利であると同時に、ガイドレール構造３がフレーム１上に取り付けられる安定性を向上させるのにも有利であることは、理解できると考えられる。
【００４６】
更にガイドレール構造３がフレーム１上に取り付けられる安定性を向上させるために、本実施例では、第二案内具３３の延長セグメント３２２から遠く離れた一端には少なくとも一つの係着突起が設けられ、第二案内具３３は係着突起を通してフレーム１と係接されている。フレーム１の吸気口１１における内壁上に係着突起と嵌合する構造、例えば係着溝或いは係着穴等を設けして、第二案内具３３の係着突起とフレーム１の吸気口１１における内壁上の係着溝或いは係着穴との嵌合を利用して、ガイドレール構造３をフレーム１上に有効的に係接して、ガイドレール構造３とフレーム１との取り外し可能な接続を実現して、脱着の効率と脱着の利便性を向上させることは、理解できると考えられる。
【００４７】
一実施例において、図１、図２、図３、図５、図６、図８、図９と図１０に示されるように、本実施例では、接続部３１の少なくとも一つの側面にはバックル３１１が設けられ、接続部３１はバックル３１１を通してフレーム１とバックル３１１接続されている。
【００４８】
接続部３１上にバックル３１１を設けし、フレーム１の吸気口１１における内壁及び／又は吸気グリッド２上にバックル３１１と嵌合する構造、例えば係着溝或いは係着穴等を設けして、接続部３１上のバックル３１１とフレーム１の吸気口１１における内壁及び／又は吸気グリッド２上の係着溝或いは係着穴との嵌合を利用して、ガイドレール構造３をフレーム１上に有効的に係接して、ガイドレール構造３とフレーム１との取り外し可能な接続を実現して、脱着の効率と脱着の利便性を向上させることは、理解できると考えられる。勿論、他の実施例において、接続部３１と吸気グリッド２及び／又はフレーム１の内壁との間はバックル接続、挿入接続嵌合或いはねじ接続等の取り外し可能な接続方法を採用し、ここでは限定しない。
【００４９】
一実施例において、図１、図２、図５、図６、図８と図９に示されるように、本実施例では、第二案内具３３の延長セグメント３２２に近い一端には案内部３３１が設けられ、案内部３３１は第一案内具３２から遠く離れる向きに延在している。
【００５０】
案内部３３１は第二案内具３３上において反っている構造をしており、即ち、案内部３３１は弧形を呈して設けられ、ガイドレール構造３がフレーム１の吸気口１１に取り付けられた時、案内部３３１の第二案内具３３から遠く離れた一端はフレーム１の内壁或いは吸気グリッド２の内壁と当接される。こうして、スライドレール案内面を有効的に形成して、フィルター５００がスライドレール３４に沿ってスライドする時にフィルター５００上の通り穴に第二案内具３３の端部が挟まってしまうのを避けて、フィルター５００のスムーズな取り付けと取り外しを便利にできる。
【００５１】
一実施例において、図１、図５と図９に示されるように、本実施例では、接続部３１には弧形セグメント３２１に対応するように第一位置制限板３１２が形成され、第一位置制限板３１２は第二案内具３３の弧形セグメント３２１から背を向けている側に向かって延在し、ガイドレール構造３がフレーム１に取り付けられた時、第一位置制限板３１２はフレーム１に位置制限して当接されている。
【００５２】
第一位置制限板３１２の設けは、一方では、フレーム１の内壁と当接嵌合されて、第一位置制限板３１２両側の空間を遮って密封するのを実現するのに有利であり、もう一方では、フレーム１の内壁と位置制限して当接されて、ガイドレール構造３の取り付け安定性を向上させるのにも有利であることは、理解できると考えられる。
【００５３】
図２、図３、図６、図８と図１０に示されるように、本実施例では、接続部３１には弧形セグメント３２１に対応するように第一位置制限板３１２と第二位置制限板３１３が形成され、第一位置制限板３１２は弧形セグメント３２１の第一案内具３２から背を向けている側に向かって延在し、第二位置制限板３１３は弧形セグメント３２１の第二案内具３３から背を向けている側に向かって延在し、第一位置制限板３１２及び／又は第二位置制限板３１３にはさらに位置制限台３１４が設けられ、ガイドレール構造３がフレーム１に取り付けられた時、制限台３１４はフレーム１に位置制限して当接されている。
【００５４】
第一位置制限板３１２と第二位置制限板３１３の設けは、一方では、フレーム１の内壁と当接嵌合されて、第一位置制限板３１２両側の空間を遮って密封するのを実現するのに有利であり、もう一方では、フレーム１の内壁と位置制限して当接されて、ガイドレール構造３の取り付け安定性を向上させるのにも有利であることは、理解できると考えられる。具体的に、図６、図８、図１０と図１１に示されるように、フレーム１の内壁にはバッフル１６が突出するように設けられ、ガイドレール構造３がフレーム１上に取り付けられた時、第一位置制限板３１２はフレーム１の内壁と当接嵌合され、第二位置制限板３１３はフレーム１のバッフル１６と当接嵌合される。
【００５５】
さらにガイドレール構造３を位置決めしてそしてガイドレール構造３の取り付け安定性を向上させるために、図２、図３、図６、図８と図１０に示されるように、本実施例では、第一位置制限板３１２及び／又は第二位置制限板３１３には更に位置制限台３１４が設けられ、フレーム１の内壁及び／又はバッフル１６には対応するように位置制限係着突起が設けられ、ガイドレール構造３がフレーム１上に取り付けられた時、位置制限台３１４は位置制限係着突起と位置制限して嵌合される。
【００５６】
一実施例において、図１、図２と図３に示されるように、本実施例では、接続部３１、第一案内具３２及び第二案内具３３は一体成型構造である。ガイドレール構造３の接続部３１を第一案内具３２及び第二案内具３３と一体成型構造にすると、ガイドレール構造３の加工生産効率を有効的に向上させると同時に、ガイドレール構造３の強度を向上させるのにも有利であることは、理解できると考えられる。
【００５７】
図１４、図１５と図１６に示されるように、本願は更に、ベース６００、ベース６００と接続されているフレーム１、少なくとも一つの上記ガイドレール構造３及びフィルター５００を含むエアコン室内機８００を提案する。当該ガイドレール構造３の具体的な構造については、上記実施例を参照されたい。本エアコン室内機８００は上記全ての実施例の全ての技術案を採用したため、少なくとも上記実施例の技術案がもたらす全ての効果を有し、ここでは逐一贅言しない。
【００５８】
具体的に、フレーム１は吸気口１１を有し、ガイドレール構造３は吸気口１１に取り外し可能に接続され、フィルター５００はスライドレール３４に移動可能に取り付けられ、吸気口１１に位置する。
【００５９】
図４と図７に示されるように、本願は更に、フレーム１、吸気グリッド２及び少なくとも一つの上記ガイドレール構造３を含むフレームアセンブリ１００を提案する。当該ガイドレール構造３の具体的な構造については、上記実施例を参照されたい。本フレームアセンブリ１００は上記全ての実施例の全ての技術案を採用したため、少なくとも上記実施例の技術案がもたらす全ての効果を有し、ここでは逐一贅言しない。
【００６０】
本実施例において、図４、図７と図１１に示されるように、フレーム１は吸気口１を有し、吸気グリッド２は吸気口１１に設けられている。吸気グリッド２とフレーム１とは一体成型構造でもよく、即ち、吸気グリッド２は幾つかの通り穴を有し、幾つかの通り穴が吸気口１１を形成する。吸気グリッド２とフレーム１とは別体で設けられてもよい。即ち、吸気グリッド２はフレーム１の吸気口１１に取り外し可能に、例えば、バックル接続、挿入接続嵌合、ねじ接続或いはピン接続等の取り外し可能な接続方法で接続され、勿論、吸気グリッド２はフレーム１の吸気口１１に例えば溶接、締りばめ等の固定接続方式で、固定接続され、ここでは限定しない。
【００６１】
一実施例において、ガイドレール構造３の脱着効率と脱着の利便性を向上させるために、本実施例ではガイドレール構造３と吸気グリッド２及び／又はフレーム１は取り外し可能な接続方式を利用する。具体的に、図８、図９、図１０、図１２と図１３に示されるように、吸気グリッド２の内表面及び／又はフレーム１のフィルター取付口１２に近い内壁には複数の掛接具２１が設けられ、吸気グリッド２及び／又はフレーム１は掛接具２１を通して接続部３１及び／又は第一案内具３２及び／又は第二案内具３３と取り外し可能に接続されている。
【００６２】
吸気グリッド２の内表面及び／又はフレーム１の内壁の複数の掛着具２１は、それぞれガイドレール構造３における接続部３１のバックル３１１及び／又は第一案内具３２の係着フック３２４及び／又は第二案内具３３の係着突起と嵌合してバックル接続を実現することにより、接続部３１と吸気グリッド２の内表面を当接させることは、理解できると考えられる。
【００６３】
一実施例において、図４、図５、図６、図７、図８、図９、図１０、図１１、図１４と図１６に示されるように、本実施例では、フレーム１は更に吸気口１１と隔てて設けられているフィルター取付口１２を有し、フレーム１にはさらにフィルター取付口１２に位置する支持部１３が設けられ、支持部１３の吸気口１１に近い端部は第一案内具３２のフィルター取付口１２に近い一端とは位置制限して当接されている。
【００６４】
フィルター取付口１２に支持部１３を設けすることで、フィルター５００の支持と取付を便利にするのに有利であることは、理解できると考えられる。ガイドレール構造３がフレーム１の吸気口１１に取り付けられた時、支持部１３の吸気口１１に近い端部は第一案内具３２のフィルター取付口１２に近い一端と位置制限して当接されていることにより、支持部１３と第一案内具３２とは連続した円滑な移行を呈するようにして、断層或いは階段が生じるのを避けて、フィルター５００の取り付け時の利便性と効率を向上させた。
【００６５】
さらに第一案内具３２に対する位置決めを実現するために、図５と図９に示されるように、支持部１３の吸気口１１に近い端部には位置制限突起１３１が設けられ、第一案内具３２には位置制限溝３２３が設けられ、ガイドレール構造３がフレーム１の吸気口１１に取り付けられた時、支持部１３の端部は第一案内具３２の端部と、当接され、この時、位置制限突起１３１は位置制限溝３２３と位置制限して嵌合されている。
【００６６】
一実施例において、図４、図５、図６、図８、図９、図１２と図１３に示されるように、本実施例では、フレーム１には吸気口１１の近くにさらに案内セグメント１４が設けられ、案内セグメント１４は支持部１３と対向して設けられ、支持部１３と組み合わされてスライドウェイ１５を形成しており、案内セグメント１４の吸気口１１に近い端部は第二案内具３３のフィルター取付口１２に近い一端と位置制限して当接され、且つスライドレール３４とスライドウェイ１５とは連通している。フレーム１にはさらにフィルター取付口１２に位置する支持部１３が設けられ、支持部１３の吸気口１３に近い端部は第一案内具３３のフィルター取付口１２に近い一端とは位置制限して当接されている。
【００６７】
案内セグメント１４の設けは、フィルター取付口１２にフィルター５００の取付を案内するスライドウェイ１５を形成して、フィルター５００の取り付け効率を向上させるのに有利であることは、理解できると考えられる。具体的に、案内セグメント１４の吸気口１１から遠く離れた端部には案内突起１４１が設けられ、案内突起１４１は支持部１３から遠く離れる方向へ延在、即ち、案内突起１４１と案内セグメント１４とは弧形を呈して設けられ、好ましくは、案内突起１４１と案内セグメント１４とは円弧を呈して移行している。このように設けするのは、フィルター５００に対して案内を実現するのに有利である。
【００６８】
図１４、図１５と図１６に示されるように、本願は更に、ベース６００、ベース６００と接続されているフレームアセンブリ１００及びフィルター５００を含むエアコン室内機８００を提案する。当該フレームアセンブリ１００の具体的な構造については、上記実施例を参照されたい。本エアコン室内機８００は上記全ての実施例の全ての技術案を採用したため、少なくとも上記実施例の技術案がもたらす全ての効果を有し、ここでは逐一贅言しない。
【００６９】
具体的に、フレームアセンブリ１００は上記フレームアセンブリ１００であり、ベース６００はフレームアセンブリ１００と組み合わされて取付チャンバーを形成しており、ガイドレール構造３は取付チャンバー内に位置して、フィルター５００はスライドレール３４に移動可能に取り付けられて、吸気口１１に位置する。
【００７０】
図１４に示されるように、フィルター５００の一端には位置制限バッフル５１０が突出して設けられている。位置制限バッフル５１０の設けは、作業員がフィルター取付口１２においてフィルター５００上の位置制限バッフル５１０を通してフィルター５００をフレーム１上から取り外すのに有利であり、勿論、フィルター５００をフレーム１の吸気口１１に取り付ける時、位置制限バッフル５１０とフィルター取付口１２の内壁との当接位置制限にも有利である。ことは、理解できると考えられる。
【００７１】
本願では、エアコン室内機８００は、フィルター自動掃除機能を有しても、手動でフィルターを洗浄してもよい。エアコン室内機８００がフィルター自動掃除機能を有する場合、エアコン室内機８００の取付チャンバーにはさらに掃除アセンブリ７００が設けられ、この時、フレーム１の吸気口１１にはガイドレール構造３を取り付けずに、フィルター３００をフレーム１の吸気口１１に取り付けて、掃除アセンブリ７００はフィルター３００の移動を駆動して、フィルター３００に対して掃除を行うことが可能となる。エアコン室内機８００が手動でフィルターを洗浄する機器である場合、エアコン室内機８００の取付チャンバーには掃除アセンブリ７００を設けせず、この時、フレーム１の吸気口１１にはガイドレール構造３が取り付けられており、フィルター３００はフィルター取付口１２のスライドウェイ１５からガイドレール構造３のスライドレール３４を経てフレーム１の吸気口１１に取り付けることが可能である。フィルター５００を取り外す必要がある場合、フィルター５００の位置制限バッフル５１０を通してフィルター５００をスライドレールウェイ１５からガイドレール構造３のスライドレール３４を経て、フィルター５００をフレーム１の吸気口１１から取り外す。
【００７２】
本願は更にフレーム１を提案する。フレーム１の具体的な構造については図４、図７、図１１、図１４と図１５の示す通りであり、フレーム１はフィルター取付構造を含む。具体的に、フレーム１は枠体構造或いは覆体構造をしており、フレーム１は隔てて設けられている吸気口１１とフィルター取付口１２を有し、即ち、フレーム１の上側面は吸気口１１を有し、フレーム１の前側面はフィルター取付口１２を有する。フレーム１は吸気口１１にさらに吸気グリッド２が設けられており、即ち、吸気グリッド２はフレーム１の吸気口１１に一体成型されている。
【００７３】
具体的に、フィルター取付構造は、吸気口に位置する第一取付構造とフィルター取付口に位置する第二取付構造を含む。フィルター取付構造は、第一取付構造と第二取付構造との二つの部分を繋げることにより構成され、即ち、第一取付構造の一端は第二取付構造の一端と取り外し可能に接続され、第一取付構造の一端は第二取付構造の一端と当接されて繋ぎあわされて、フィルター取付構造を一つの全体とすることは、理解できると考えられる。本実施例では、第一取付構造は、上記ガイドレール構造３でもよく、従来のフィルターを取り付ける構造でもよく、ここでは限定しない。
【００７４】
さらに、フィルター取付構造は、フィルター５００を取り付ける取付空間を有し、当該取付空間はフィルター取付構造自身が形成する空間構造でもよく、フィルター取付構造と吸気グリッド２が組み合わされて形成された空間構造でもよく、ここでは限定しない。具体的に、第一取付構造は、スライドレール３４を形成し、第二取付構造は、スライドウェイ１５を形成しており、第一取付構造の一端と第二取付構造の一端が当接されて繋ぎあわされた時、スライドレール３４とスライドウェイ１５が連通してフィルター５００を取り付ける取付空間を構成する。
【００７５】
本願のフレーム１は、フィルター取付構造を二つの部分に分解することで、吸気口１１に位置する第一部分の取付構造をフレーム１に取り外し可能に接続されるようにする。こうすると、フレーム１がフィルター自動掃除機能を有するエアコンにもフィルターを手動で洗浄するエアコンにも設けできるようにして、フレーム１の金型の利用率と生産効率を向上させ、生産工程を簡略化して、生産コストを低下させる。同時に、吸気口１１に位置する第一部分の取付構造とフィルター取付口１２に位置する第二部分の取付構造の組み合わせを利用して、フィルターの手動取り外し及び洗浄の実現に便利になるにして、フレーム１の使用利便性を向上させた。
【００７６】
図１４、図１５と図１６に示されるように、本願は更に、ベース６００、ベース６００と接続されているフレーム１及びフィルター５００を含むエアコン室内機８００を提案する。当該フレーム１の具体的な構造については、上記実施例を参照されたい。本エアコン室内機８００は上記全ての実施例の全ての技術案を採用したため、少なくとも上記実施例の技術案がもたらす全ての効果を有し、ここでは逐一贅言しない。具体的に、フィルター５００はフィルター取付構造に移動可能に取り付けられて、吸気口１１に位置する。
【００７７】
本願は更に、エアコン室外機と上記エアコン室内機８００を含み、エアコン室外機は管路によってエアコン室内機８００と接続されているエアコン提案する。当該エアコン室内機８００の具体的な構造については、上記実施例を参照されたい。本エアコンは上記全ての実施の全ての技術案を採用したため、少なくとも上記実施例の技術案がもたらす全ての効果を有し、ここでは逐一贅言しない。
【００７８】
上述したことは本願の好ましい実施例に過ぎず、それによって本願の特許の範囲を制限するわけではない。本願の発明の精神に基づいて、本願の明細書及び添付図面の内容を利用してなされた均等な構造変換、或いは他の関連する技術分野への直接／間接的な応用は、何れも本願の特許の保護範囲に含まれる。
【符号の説明】
【００７９】
１００  フレームアセンブリ
１  フレーム
１１  吸気口
１２  フィルター取付口
１３  支持部
１３１  位置制限突起
１４  案内セグメント
１４１  案内突起
１５  スライドウェイ
１６  バッフル
２  吸気グリッド
２１  掛接具
３  ガイドレール構造
３１  接続部
３１１  バックル
３１２  第一位置制限板
３１３  第二位置制限板
３１４  位置制限台
３２  第一案内具
３２１  弧形セグメント
３２２  延長セグメント
３２３  位置制限溝
３２４  係着フック
３３  第二案内具
３３１  案内部
３４  スライドレール
５００  フィルター
５１０  位置制限ブロック
６００  ベース
７００  掃除アセンブリ
８００  エアコン室内機
【図１】
2021517623.tif 000003
【図２】
2021517623.tif 000004
【図３】
2021517623.tif 000005
【図４】
2021517623.tif 000006
【図５】
2021517623.tif 000007
【図６】
2021517623.tif 000008
【図７】
2021517623.tif 000009
【図８】
2021517623.tif 000010
【図９】
2021517623.tif 000011
【図１０】
2021517623.tif 000012
【図１１】
2021517623.tif 000013
【図１２】
2021517623.tif 000014
【図１３】
2021517623.tif 000015
【図１４】
2021517623.tif 000016
【図１５】
2021517623.tif 000017
【図１６】
2021517623.tif 000018
【国際調査報告】
2021517623.tif 000019
2021517623.tif 000020
2021517623.tif 000021
2021517623.tif 000022
2021517623.tif 000023